(57)【要約】      （修正有）【課題】より簡易かつ低コスト化が可能なエアシャワー装置を提供する。【解決手段】アーチ状に形成された複数のエアシャワーパイプ１２Ａ〜１２Ｅと、エアシャワーパイプの両端部に接続される一対のチャンバパイプ１４と、チャンバパイプ内に噴出空気を送風する送風手段１６と、を備え、複数のエアシャワーパイプは、チャンバパイプの長手方向に沿って並列に配置されると共に、チャンバパイプとエアシャワーパイプの内部空間が連通されており、エアシャワーパイプは、直線部とアーチ部とから構成され、直線部には、対向する直線部に向けてエアを噴出する下部噴出口が設けられ、アーチ部には、円弧の中心に向けてエアが噴出される上部噴出口が設けられている。【選択図】図１
0003200931.tif 000002
【実用新案登録請求の範囲】
【請求項１】
円弧状に形成されたアーチ部と、前記アーチ部の両端部に接続された直線部を有し、
前記アーチ部には、円弧の中心に向けてエアを噴出する噴出口が設けられているエアシャワーパイプを備えていることを特徴とするエアシャワー装置。
【請求項２】
複数の前記エアシャワーパイプと、
前記エアシャワーパイプの端部に接続されるチャンバパイプと、
前記チャンバパイプ内に噴出空気を送風する送風手段と、を備え、
前記複数のエアシャワーパイプを前記チャンバパイプの長手方向に沿って並列に配置すると共に、前記チャンバパイプと前記エアシャワーパイプの内部空間を連通したことを特徴とする請求項１に記載のエアシャワー装置。
【請求項３】
並列配置したエアシャワーパイプのうち、チャンバパイプの端部側に配置した前記エアシャワーパイプにそれぞれに、前記送風手段の電力を制御する電源手段を備えたことを特徴とする請求項２に記載のエアシャワー装置。
【請求項４】
前記エアシャワーパイプにおける前記チャンバパイプとの接続部近傍に、圧力調整バルブを備えたことを特徴とする請求項２または３に記載のエアシャワー装置。
【考案の詳細な説明】
【技術分野】
【０００１】
本発明は、エアシャワー装置に係り、特に、建設現場等において身体や衣服に付着した粉塵を落とす簡易なエアシャワー装置に関する。
【背景技術】
【０００２】
一般的にエアシャワー装置は、クリーンルームなどへの入出に際し、塵埃等の持ち込み、持ち出しを防止するために設けられている。このため、装置自体も大型で、クリーンルームとは別の部屋や通路を封止して、衣服等の除塵が行われる。
【０００３】
これに対し、建設現場や工事現場では、クリーンルームほど厳密な除塵を必要としていないが、衣服についた塵埃の払拭程度は行いたいという要望がある。また、複数名の作業員が、素早く塵埃の払拭を行いたいという要望がある。このため、簡易な除塵設備として、特許文献１や特許文献２に開示されているような、移動式のエアシャワー装置が開発されている。
【０００４】
例えば特許文献１に開示されているエアシャワー装置は、コンテナ等を改造することで、構成することができる複合型移動装置であり、エアシャワーの他、洗濯、洗顔設備や更衣室等も備えている。
【０００５】
そして、特許文献２に開示されているエアシャワー装置は、簡易的に外界領域と隔離可能なボックスと、このボックス上部に取り付けられた送風装置とを主体として構成されるものである。このような構成の装置では、ボックス下部に車輪を付ける事で、エアシャワー装置そのものを移動可能な構成としている。
【先行技術文献】
【特許文献】
【０００６】
【特許文献１】特開２００７−１２６８１２号公報
【特許文献２】特開２００２−１６８４９３号公報
【考案の概要】
【考案が解決しようとする課題】
【０００７】
上記特許文献に開示されているエアシャワー装置は、いずれも移動可能な構成とされ、様々な現場に対応させることができる。しかし、いずれの文献に開示されているエアシャワー装置も、比較的高度な除塵を目的としているため、エアシャワーを施す領域を外界領域から隔離した遮蔽空間を設けるようにしている。このため、装置が大型化し、装置自体の製造コストも増大することとなる。また、複数名に対して実施する場合、遮蔽空間では対応できない。
【０００８】
そこで本考案では、従来に比べて、より簡易的な除塵を目的とした、簡易かつ低コスト化が可能なエアシャワー装置を提供することを目的とする。
【課題を解決するための手段】
【０００９】
上記目的を達成するための本考案に係るエアシャワー装置は、円弧状に形成されたアーチ部と、前記アーチ部の両端部に接続された直線部を有し、前記アーチ部には、円弧の中心に向けてエアを噴出する噴出口が設けられているエアシャワーパイプを備えていることを特徴とする。
【００１０】
また、上記のような特徴を有するエアシャワー装置では、複数の前記エアシャワーパイプと、前記エアシャワーパイプの端部に接続されるチャンバパイプと、前記チャンバパイプ内に噴出空気を送風する送風手段と、を備え、前記複数のエアシャワーパイプを前記チャンバパイプの長手方向に沿って並列に配置すると共に、前記チャンバパイプと前記エアシャワーパイプの内部空間を連通する構成とすると良い。
【００１１】
このような構成とすることで、エアシャワーによる払拭距離を増やすことができる。また、チャンバパイプを設ける事で、噴出エアの脈動を抑え、安定化を図ることができる。
【００１２】
また、上記のような特徴を有するエアシャワー装置では、並列配置したエアシャワーパイプのうち、チャンバパイプの端部側に配置した前記エアシャワーパイプにそれぞれに、前記送風手段の電力を制御する電源手段を備えるようにすると良い。
【００１３】
このような構成とすることで、複数のエアシャワーパイプを並列配置してトンネル状としたエアシャワー装置において、どちらを入口側、出口側として配置した場合であっても、使用することが可能となる。
【００１４】
さらに、上記のような特徴を有するエアシャワー装置では、前記エアシャワーパイプにおける前記チャンバパイプとの接続部近傍に、圧力調整バルブを備えるようにすることが望ましい。
【００１５】
このような構成とすることで、エアを供給するチャンバパイプの選択と、噴出エアの調整を行うことが可能となる。
【考案の効果】
【００１６】
上記のような特徴を有するエアシャワー装置によれば、従来に比べて、より簡易かつ低コストなエアシャワー装置とすることができる。また、軽量であるため、移設する際の容易性も向上する。さらに、複数名の作業員に付着した塵埃を素早く払拭することができる。
【図面の簡単な説明】
【００１７】
【図１】実施形態に係るエアシャワー装置の正面構成を示す図である。
【図２】実施形態に係るエアシャワー装置の右側面構成を示す図である。
【図３】エアシャワー装置の使用状態と風の流れを示す図である。
【図４】エアシャワーパイプに設けられた噴出口の一例を示す図である。
【考案を実施するための形態】
【００１８】
以下、本考案のエアシャワー装置に係る実施の形態について、図面を参照して詳細に説明する。なお、図面において、図１は、実施形態に係るエアシャワー装置の正面構成を示す図であり、図２は、同右側面の構成を示す図である。また、図３は、エアシャワー装置の使用状態を説明するための図であり、図４は、噴出口の具体的一例を示す図である。
【００１９】
本実施形態に係るエアシャワー装置１０は、エアシャワーパイプ１２（１２Ａ〜１２Ｅ）とチャンバパイプ１４、および送風手段１６を基本として構成されている。エアシャワーパイプ１２は、被粉塵払拭者に対してエアを噴出する役割を担うエア噴出パイプである。具体的な構成として、エアシャワーパイプは、図２に示すように、一対の直線部１２ａと、対を成す直線部１２ａを連結する円弧状のアーチ部１２ｂとを組み合わせた逆Ｕ字状の体を成す、いわゆるアーチ状パイプとして形成されている。
【００２０】
噴出口１２ｃ（図４参照）は、直線部１２ａとアーチ部１２ｂのそれぞれに設けられている。直線部１２ａには、対を成す直線部１２ａに向けてエアを噴出するように設けられた下部噴出口が備えられている。これに対し、アーチ部１２ｂには、円弧の中心に向けてエアを噴出するように設けられた上部噴出口が備えられている。なお、下部噴出口、上部噴出口は共に、図４に示すように、エアシャワーパイプ１２の側面に貫通孔を設けたもので良い。
【００２１】
チャンバパイプ１４は、詳細を後述する送風手段１６から供給されたエアを貯留し、エアシャワーパイプ１２へと供給する役割を担う。チャンバパイプ１４は、エアシャワーパイプ１２の端部、すなわち直線部１２ａのそれぞれに接続される対を成すパイプである。そして、エアシャワーパイプ１２は、対を成すチャンバパイプ１４の長手方向に沿って複数（図１に示す形態では５つ）、並列に配置されている。チャンバパイプ１４は、エアシャワーパイプ１２へエアを供給する役割を担うため、チャンバパイプ１４の内部空間とエアシャワーパイプ１２の内部空間は、それぞれ連通されている。ここで、チャンバパイプ１４の直径は、エアシャワーパイプ１２の直径よりも大きいものとすると良い。
【００２２】
エアシャワーパイプ１２よりも直径が大きいチャンバパイプ１４を設けることにより、エアシャワーパイプ１２には、チャンバパイプ１４に一旦貯留されたエアが供給されることとなる。このため、エアシャワーパイプ１２に供給されるエアには、噴出圧の変動による脈動等が生じ難く、噴出エアを安定させることが可能となる。また、複数のエアシャワーパイプ１２を並列に配置し、その両端部をチャンバパイプ１４で接続する構成を採ることで、エアシャワー装置１０の設置安定性を得ることができる。
【００２３】
エアシャワーパイプ１２の上部側には、複数のエアシャワーパイプ１２を接続するつなぎ材１８が設けられている。つなぎ材１８を設けることで、エアシャワーパイプ１２の撓みによる揺れを抑制することができる。
【００２４】
また、エアシャワーパイプ１２におけるチャンバパイプ１４との接続部近傍には、各エアシャワーパイプ１２へ供給するエアの圧力を調整するための圧力調整バルブ２０が備えられている。圧力調整バルブ２０としては、例えばボールバルブなどであれば良い。チャンバパイプ１４に供給されるエアの量は、送風手段１６により定められるため、エアシャワーパイプ１２に設けられた圧力調整バルブ２０の開度を調整することにより、エアシャワーパイプ１２へ供給されるエアの量、および圧力を変化させることができる。
【００２５】
例えば、エアシャワーパイプ１２Ｂ，１２Ｄにおける圧力調整バルブ２０を閉塞状態とした場合、チャンバパイプ１４からエアシャワーパイプ１２へと供給されるエアの総量が少なくなり、チャンバパイプ１４内の圧力が上昇する。これにより、圧力調整バルブ２０が開放状態となっているエアシャワーパイプ１２Ａ，１２Ｃ，１２Ｄへ供給されるエアの圧力も高まり、噴出口１２ｃ（上部噴出口、および下部噴出口）から噴出されるエアの圧力が上昇する。これにより、密着度の高い塵埃であっても、エアの力で払拭することが可能となる。
【００２６】
送風手段１６は、チャンバパイプ１４にエアを供給する役割を担う。送風手段１６とチャンバパイプ１４とは、送風管１６ａにより接続されている。なお、送風手段１６としては、コンプレッサやブロアなどであれば良い。
【００２７】
実施形態に係るエアシャワー装置１０には、チャンバパイプ１４の端部側に配置したエアシャワーパイプ１２に、送風手段１６に対する電力の供給を制御する、スイッチ２２とリレー２４から成る電源手段を設ける構成とした。スイッチ２２としては、トンネル状に形成されたエアシャワー装置１０の入口側にＯＮスイッチ、出口側にＯＦＦスイッチがあれば、エアシャワー装置１０を使用する者が、入口側でスイッチ２２をＯＮにし、出口側でスイッチ２２をＯＦＦとすれば足りる。本実施形態では、トンネル状に形成されたエアシャワー装置１０の両端部に位置するエアシャワーパイプ１２のそれぞれに、ＯＮ・ＯＦＦスイッチを両方取り付ける構成としている。このような構成とすることで、エアシャワー装置１０の配置形態をどちらの向きとした場合であっても、使用が可能となるからである。
【００２８】
リレー２４は、スイッチ２２がＯＮになった際に、送風手段に電力を供給するものであれば良い。
【００２９】
図３は、実施形態に係るエアシャワー装置１０の使用状態を示すものである。複数のエアシャワーパイプ１２は、それぞれ直線部１２ａとアーチ部１２ｂの組み合わせにより構成されているため、被粉塵払拭者の体型にもよるが、平均的な体型であれば、直線部１２ａからの噴出エアは、首から下の体部分に当てられ、アーチ部１２ｂからの噴出エアは、頭部に当てられることとなる。なお、図３において、破線で示す矢印は、エアの流れを示すものである。
【００３０】
ここで、アーチ部１２ｂは、円弧状の体を成し、その内側に噴出口１２ｃが設けられていることより、噴出されたエアは、円弧の中心部（図３では被粉塵払拭者の頭部）に集中することとなる。このような作用により、粉塵の付着しやすい頭部や、上からのや横からのエアだけでは払拭されにくい顎部などに付着した粉塵も払拭しやすくなる。
【００３１】
このような構成のエアシャワー装置１０では、外部領域との間に隔壁を設けず、単に身体に付着した塵埃を払拭することを目的としているため、簡易かつ安価に製造することができる。また、全体をパイプにより構成しているため、軽量となり、利用場所への移送が容易である。また、遮蔽空間としないトンネル構造であるため、複数の被粉塵払拭者（作業員等）に付着した塵埃を素早く短時間で払拭することも可能となる。
【００３２】
なお、上記実施形態では、スイッチ２２について、押しボタン式のＯＮ・ＯＦＦスイッチを例に挙げて説明した。しかしながら、実施形態に係るエアシャワー装置１０を構成するにあたっては、スイッチ２２の形態は、これに限定されるものではない。例えば、スイッチ２２を人感センサー等の非接触式のスイッチとしても良い。このような構成を採用した場合には、スイッチ２２を押す手間が省けるため、被粉塵払拭者は、単に通り抜けるだけで塵埃払拭効果を得ることができる。よって、さらに素早い塵埃払を実現することが可能となる。
【産業上の利用可能性】
【００３３】
本願では、実施形態に係るエアシャワー装置１０の設置場所として、建設現場等としていたが、花粉の季節などには、スーパーなどの商業施設の出入り口などに配置することで、施設内への花粉等の持ち込み量を減らすことが可能となる。
【符号の説明】
【００３４】
１０………エアシャワー装置、１２（１２Ａ〜１２Ｅ）………エアシャワーパイプ、１２ａ………直線部、１２ｂ………アーチ部、１２ｃ………噴出口、１４………チャンバパイプ、１６………送風手段、１６ａ………送風管、１８………つなぎ材、２０………圧力調整バルブ、２２………スイッチ、２４………リレー。
【図１】
0003200931.tif 000003
【図２】
0003200931.tif 000004
【図３】
0003200931.tif 000005
【図４】
0003200931.tif 000006